(57)【要約】【課題】乾電池ケースを閉じる蓋がワンタッチで確実にロックされ、しかも機器の寸法が大きくなることのない乾電池ケースの電子機器本体への装着機構を提供する。【解決手段】複数の乾電池８、８…をケース２に収容して蓋３で覆った乾電池ユニット１を、前記ケース２に回動自在に支持さればねで係止方向に付勢されたリリースレバー４で電子機器本体９へ係止する乾電池ケース１の電子機器本体９への装着機構において、前記ケース２に回動自在に支持され前記リリースレバー４のロック解除を防止するロック状態保護レバー５により前記蓋３をケース２閉状態に係止させる。【選択図】        図２
2006331906.tif 000002
【特許請求の範囲】
【請求項１】
複数の乾電池をケースに収容して蓋で覆った乾電池ユニットを、前記ケースに回動自在に支持さればねで係止方向に付勢されたリリースレバーで電子機器本体へ係止する乾電池ケースの電子機器本体への装着機構において、前記ケースに回動自在に支持され前記リリースレバーのロック解除を防止するロック状態保護レバーにより前記蓋をケース閉状態に係止させることを特徴とする乾電池ケースの電子機器本体への装着機構。
【請求項２】
前記リリースレバーとロック状態保護レバーが同一の軸で前記ケースに回動自在に支持された請求項１の乾電池ケースの電子機器本体への装着機構。
【請求項３】
前記ロック状態保護レバーに設けた凸部または凹部が前記ケースに設けられた凹部または凸部に係合することにより前記ロック状態保護レバーが前記ケースに軽くロックされる請求項１または２の乾電池ケースの電子機器本体への装着機構。
【請求項４】
前記蓋は前記ケースに回動自在に支持された側と反対側の自由端を前記ロック状態保護レバーにより係止される請求項１から３のいずれかに記載された乾電池ケースの電子機器本体への装着機構。
【請求項５】
前記乾電池ユニットの一端に設けられた凸部または凹部が前記電子機器本体に設けられた凹部または凸部に係止され、前記乾電池ユニットの他端が前記リリースレバーで電子機器本体へ係止される請求項１から４のいずれかに記載された乾電池ケースの電子機器本体への装着機構。
【請求項６】
前記蓋は前記ケースが前記電子機器本体へ合わせられる底板と対向する開放部を開閉するように構成され、前記乾電池ユニットが前記電子機器本体へ装着された状態で前記蓋を開き乾電池を交換可能とした請求項１から５のいずれかに記載された乾電池ケースの電子機器本体への装着機構。
【発明の詳細な説明】
【技術分野】
【０００１】
この発明は電子機器に係わり、特に、その乾電池ケースの電子機器本体への装着機構に関する。
【背景技術】
【０００２】
従来の乾電池ケースの通信機本体への装着機構の例を図４おび図５により説明する。図４は従来の乾電池ケースの通信機本体への装着機構の例を示す長手方向中央断面図、図５は同乾電池ケースの通信機本体への装着機構を示す分解斜視図である。
【０００３】
図に示すケース２に乾電池８、８…が収納され、蓋３で閉じることにより乾電池ユニット１１が形成される。すなわち、ケース２に乾電池８、８…が収納された後、蓋３の樹脂爪３ｄ、３ｄをケース２の図示しない凹部に差し込んだ後、蓋３の樹脂ばねフック、３ａ、３ａを変形させながらケース２の内面に設けた図示していない凹部に係止させる。
【０００４】
ロック状態保護レバー５の穴５ａとリリースレバー４の穴４ｂを挿通した軸７はケース２の図示していない軸受に支持され、ロック状態保護レバー５とリリースレバー４はケース２に回動自在に支持され、リリースレバー４は図示していない捩じりコイルばねにより図４において時計方向に付勢されている。また、ロック状態保護レバー５の凸部５ｂはケース２の切り欠きを閉じる図４に示す位置においてケース２の図示していない凹部と嵌合して仮固定される。
【０００５】
このように構成された乾電池ユニット１１はケース２の凸部２ａ、２ａを通信機本体９の凹部９ａ、９ａに差し込んで回動させると、リリースレバー４は一旦図４における反時計方向に回動した後元に戻りリリースレバー４の係止爪４ａが通信機本体９の凹部９ｂに係止され乾電池ユニット１１が通信機本体９に装着される。
【０００６】
乾電池ユニット１１を通信機本体９から外すときは、ロック状態保護レバー５を図４における時計方向に回動させ、リリースレバー４の押部４ｃを押して係止爪４ａを通信機本体９の凹部９ｂから外して乾電池ユニット１１を通信機本体９から取り外す。
【０００７】
なお、通常はロック状態保護レバー５は図４に示す位置にあり、リリースレバー４の押部４ｃが不用意に押されて乾電池ユニット１１が通信機本体９から外れるのを防止する。なお、図に示す９ｃは通信機本体９に設けられたアンテナである。
【０００８】
上記図４および図５に示した従来の乾電池ケースの通信機本体への装着機構では、蓋３の樹脂ばねフック、３ａ、３ａを撓ませて蓋３を開閉させるので、引っ掛かり幅は樹脂ばねフック、３ａ、３ａの撓み量以下となる。そのため外部からの衝撃に十分に耐えられるように蓋３をケース２に係止することができなかった。
【０００９】
上記乾電池ケースの装着機構を改善した例を図６および図７に示す。図６（ａ）は従来の乾電池ケースの通信機本体への装着機構の他の例の乾電池ユニット２１を示す底面図、図６（ｂ）は図６（ａ）におけるＡ−Ａ断面図、図６（ｃ）は図６（ａ）におけるＢ−Ｂ断面図、図７は同乾電池ユニット２１を示す部分分解斜視図である。
【００１０】
この例では蓋３に設けた凸条３ｆがケース２のレール２ｃに嵌まり込むようにして蓋３がケース２に嵌着される。すなわち、凸条３ｆを図７に矢印で示すようにレール２ｃに滑り込ませる。なお、図６および図７において図４および図５に示したものと同様の機能を有する部材は同一の符号が付されておりその詳細な説明を省略する。
【００１１】
この例では長い凸条３ｆとレール２ｃで係合しているので衝撃で蓋３がケース２から外れることはない。しかしながら、乾電池ユニット２１の図６に示す幅Ｗ１は凸条３ｆおよびレール２ｃを設けた分だけ図４および図５に示した従来の乾電池ケース１１の幅Ｗより広くなる。
【００１２】
乾電池ユニットの幅は乾電池の寸法により最低寸法が決定されるが、この幅の増大は機器の寸法に大きく影響し、手に持った感触を劣化させてしまう。さらに、ケースと蓋の間にはパッキングまたはシール材を用いることが多々あるが、このスライド構造ではシール材を擦ることによりシール材の脱落や擦り切れを生じさせるという問題があった。
【００１３】
上記乾電池ケースの装着機構を改善した他の例を図８および図９に示す。図８（ａ）は従来の乾電池ケースの通信機本体への装着機構のさらに他の例の乾電池ユニット３１を示す底面図、図８（ｂ）は図８（ａ）におけるＡ−Ａ断面図、図８（ｃ）は図８（ａ）におけるＢ−Ｂ断面図、図９は同乾電池ユニット３１を示す部分分解斜視図である。
【００１４】
この例では蓋３にスライドつまみ３２が図８（ａ）および図９に矢印で示すようにスライド可能に取り付けられている。スライドつまみ３２は２つの部材を蓋３の長穴３ｅを挟むようにして強嵌合されて形成されている。
【００１５】
スライドつまみ３２を図８（ａ）の矢印方向にスライドさせることによりスライドつまみ３２の係止部３２ａをケース９の図９に示す凹み２ｄに嵌まり込ませて蓋３をケース２に固定する。なお、図８および図９において図４および図５に示したものと同様の機能を有する部材は同一の符号が付されておりその詳細な説明を省略する。
【００１６】
この例では衝撃に対してある程度強いがスライドつまみ３２のスライド方向の衝撃によりスライドつまみ３２がスライドして蓋３がひらいてしまうことがある。また、乾電池ユニット３１の長さがスライドつまみ３２を設ける分だけ図４および図５に示した従来の乾電池ケース１１の長さＬより長くなり、図８（ｂ）に示すＬ１の長さとなる。
【００１７】
上記乾電池ケースの装着機構を改善したさらに他の例を図１０および図１１に示す。図１０（ａ）は従来の乾電池ケースの通信機本体への装着機構のさらに他の例の乾電池ユニット４１を示す底面図、図１０（ｂ）は図１０（ａ）におけるＡ−Ａ断面図、図１０（ｃ）は図１０（ａ）におけるＢ−Ｂ断面図、図１１は同乾電池ユニットを示す部分分解斜視図である。
【００１８】
この例では蓋３に取り付けられた飾りねじ４２がケース２に設けられたねじ穴２ｅにねじ込まれて蓋３がケース２に締着される。なお、図１０および図１１において図４および図５に示したものと同様の機能を有する部材は同一の符号が付されておりその詳細な説明を省略する。
【００１９】
この例では強度に問題はないが、蓋３の取り付けがワンタッチで行えないので、取り付けに手間がかかる。また、飾りねじ４２を設ける分だけ乾電池ユニット４１の長さが図４および図５に示した従来の乾電池ケース１１の長さＬより長くなり、図１０（ｂ）に示すＬ２の長さとなる。
【００２０】
特開平９−６９３５９号公報に開示された電池ロック構造はバッテリパックを直接携帯機器にロックするものであり、乾電池を収納した乾電池ユニットが用いられておらず、上記した乾電池ケース装着機構の問題点を解決するものではない。
【特許文献１】特開平９−６９３５９号公報、段落００１１〜段落００１８、図１〜図５
【発明の開示】
【発明が解決しようとする課題】
【００２１】
この発明は上記した点に鑑みてなされたものであって、その目的とするところは、乾電池ケースを閉じる蓋がワンタッチで確実にロックされ、しかも機器の寸法が大きくなることのない乾電池ケースの電子機器本体への装着機構を提供することにある。
【００２２】
この発明の他の目的は乾電池ケースを機器本体に装着したまま蓋を開いて乾電池の交換が可能となる乾電池ケースの電子機器本体への装着機構を提供すること提供することである。
【課題を解決するための手段】
【００２３】
この発明の乾電池ケースの電子機器本体への装着機構は、複数の乾電池をケースに収容して蓋で覆った乾電池ユニットを、前記ケースに回動自在に支持さればねで係止方向に付勢されたリリースレバーで電子機器本体へ係止する乾電池ケースの電子機器本体への装着機構において、前記ケースに回動自在に支持され前記リリースレバーのロック解除を防止するロック状態保護レバーにより前記蓋をケース閉状態に係止させるものてある。
【００２４】
また、前記乾電池ケースの電子機器本体への装着機構において、前記リリースレバーとロック状態保護レバーが同一の軸で前記ケースに回動自在に支持されたものである。
【００２５】
また、前記各乾電池ケースの電子機器本体への装着機構において、前記ロック状態保護レバーに設けた凸部または凹部が前記ケースに設けられた凹部または凸部に係合することにより前記ロック状態保護レバーが前記ケースに軽くロックされるものである。
【００２６】
また、前記各乾電池ケースの電子機器本体への装着機構において、前記蓋は前記ケースに回動自在に支持された側と反対側の自由端を前記ロック状態保護レバーにより係止されるものである。
【００２７】
また、前記各乾電池ケースの電子機器本体への装着機構において、前記乾電池ユニットの一端に設けられた凸部または凹部が前記電子機器本体に設けられた凹部または凸部に係止され、前記乾電池ユニットの他端が前記リリースレバーで電子機器本体へ係止されるものである。
【００２８】
さらに、前記各乾電池ケースの電子機器本体への装着機構において、前記蓋は前記ケースが前記電子機器本体へ合わせられる底板と対向する開放部を開閉するように構成され、前記乾電池ユニットが前記電子機器本体へ装着された状態で前記蓋を開き乾電池を交換可能としたものである。
【発明の効果】
【００２９】
この発明の乾電池ケースの電子機器本体への装着機構によれば、乾電池ケースを閉じる蓋がワンタッチで確実にロックされ、しかも機器の寸法が大きくなることがない。
【発明を実施するための最良の形態】
【００３０】
以下この発明を実施するための最良の形態を実施例に即して説明する。図１はこの発明の実施例である乾電池ケースの通信機本体への装着機構の長手方向中央断面図、図２は同乾電池ケースの通信機本体への装着機構を示す分解斜視図、図３は同乾電池ケース装着機構に用いられた乾電池ケース１の蓋３が開いた状態を示す斜視図である。
【００３１】
図１〜３に示すケース２に乾電池８、８…が収納され、ケース２に回動自在に支持された蓋３を閉じることにより乾電池ユニット１が形成される。すなわち、ケース２の穴２ｂと蓋３の穴３ｂを挿通した軸６により蓋３がケース２に回動自在に支持されており、蓋３を図３における矢印方向Ａ方向に回動させて、ケース２を閉じた後、ロック状態保護レバー５を図３における矢印方向Ｂ方向に回動させてロック状態保護レバー５の係止部５ｃで蓋３の段差面３ｃを係止させる。
【００３２】
なお、乾電池ユニット１の構造を図１および図２により詳しく説明すると、蓋３が閉じられるとき、蓋３の樹脂ばねフック、３ａ、３ａを変形させながらケース２の内面に設けた図示していない凹部に係止させて蓋３は仮り留めされる。
【００３３】
ロック状態保護レバー５の穴５ａとリリースレバー４の穴４ｂを挿通した軸７はケース２の図示していない軸受に支持され、ロック状態保護レバー５とリリースレバー４はケース２に回動自在に支持され、リリースレバー４は図示していない捩じりコイルばねにより図１において時計方向に付勢されている。また、ロック状態保護レバー５の凸部５ｂはケース２の切り欠きを閉じる図１に示す位置においてケース２の図示していない凹部と嵌合して仮固定される。
【００３４】
このように構成された乾電池ユニット１はケース２の凸部２ａ、２ａを通信機本体９の凹部９ａ、９ａに差し込んで回動させると、リリースレバー４は一旦図１における反時計方向に回動した後元に戻りリリースレバー４の係止爪４ａが通信機本体９の凹部９ｂに係止され乾電池ユニット１が通信機本体９に装着される。
【００３５】
乾電池ユニット１を通信機本体９から外すときは、ロック状態保護レバー５を図１における時計方向に回動させ、リリースレバー４の押部４ｃを押して係止爪４ａを通信機本体９の凹部９ｂから外し乾電池ユニット１を通信機本体９から取り外す。
【００３６】
蓋３を係止した状態ではロック状態保護レバー５の係止部５ｃは蓋３の段差と当接しており、ロック状態保護レバー５を強く押しても図１における反時計方向に回動することなく、リリースレバー４の押部４ｃがロック状態保護レバー５に押されて乾電池ユニット１が通信機本体９から外れることはない。なお、図に示す９ｃは通信機本体９に設けられたアンテナである。
【００３７】
実施例の乾電池ユニット１では、係止部５ｃの蓋３を押さえる幅は乾電池ユニット１の長さを余分に長くすることなく十分に大きくすることができ、蓋３をワンタッチで確実にロックできる。また、図６および図７の例のようにレールが設けられていないので、乾電池ユニット１の幅も大きくなることがなく、乾電池ユニット１の寸法が小さくなり、通信機自体の寸法を小さくできる。
【００３８】
また、実施例の乾電池ユニット１では通信機本体９と当接する底面の上側に蓋３が回動自在に設けられているので、乾電池ユニット１を通信機本体９に装着したまま蓋３を開いて乾電池８、８…を交換することが可能である。
【００３９】
実施例は以上のように構成されているが発明はこれに限られず、例えば、通信機以外のポータブルＣＤプレーヤ、ＭＤ機器等の電子機器にこの発明を適用することも可能である。
【図面の簡単な説明】
【００４０】
【図１】この発明の実施例である乾電池ケースの通信機本体への装着機構の長手方向中央断面図である。
【図２】同乾電池ケースの通信機本体への装着機構を示す分解斜視図である。
【図３】同乾電池ケースの通信機本体への装着機構を示す部分斜視図である。
【図４】従来の乾電池ケースの通信機本体への装着機構の例を示す長手方向中央断面図である。
【図５】同乾電池ケースの通信機本体への装着機構を示す分解斜視図である。
【図６】図６（ａ）は従来の乾電池ケースの通信機本体への装着機構の他の例の乾電池ユニットを示す底面図、図６（ｂ）は図６（ａ）におけるＡ−Ａ断面図、図６（ｃ）は図６（ａ）におけるＢ−Ｂ断面図である。
【図７】同乾電池ユニットを示す部分分解斜視図である。
【図８】図８（ａ）は従来の乾電池ケースの通信機本体への装着機構のさらに他の例の乾電池ユニットを示す底面図、図８（ｂ）は図８（ａ）におけるＡ−Ａ断面図、図８（ｃ）は図８（ａ）におけるＢ−Ｂ断面図である。
【図９】同乾電池ユニットを示す部分分解斜視図である。
【図１０】図１０（ａ）は従来の乾電池ケースの通信機本体への装着機構のさらに他の例の乾電池ユニットを示す底面図、図１０（ｂ）は図１０（ａ）におけるＡ−Ａ断面図、図１０（ｃ）は図１０（ａ）におけるＢ−Ｂ断面図である。
【図１１】同乾電池ユニットを示す部分分解斜視図である。
【符号の説明】
【００４１】
１  乾電池ユニット
２  ケース、２ａ  凸部、２ｂ  穴、２ｃ  レール、２ｄ  凹み、２ｅ  ねじ穴
３  蓋、３ａ  樹脂ばねフック、３ｂ  穴、３ｃ  段差面、３ｄ  樹脂爪、３ｅ  長穴  ３ｆ  凸条
４  リリースレバー、４ａ  係止爪、４ｂ  穴、４ｃ  押部
５  ロック状態保護レバー、５ａ  穴、５ｂ  凸部、５ｃ  係止部
６、７  軸
８  乾電池
９  通信機本体、９ａ、９ｂ  凹部、９ｃ  アンテナ
１１  乾電池ユニット
２１  乾電池ユニット
３１  乾電池ユニット
３２  スライドつまみ、、３２ａ  係止部
４１  乾電池ユニット
４２  飾りねじ
【図１】
2006331906.tif 000003
【図２】
2006331906.tif 000004
【図３】
2006331906.tif 000005
【図４】
2006331906.tif 000006
【図５】
2006331906.tif 000007
【図６】
2006331906.tif 000008
【図７】
2006331906.tif 000009
【図８】
2006331906.tif 000010
【図９】
2006331906.tif 000011
【図１０】
2006331906.tif 000012
【図１１】
2006331906.tif 000013